(57)【要約】      （修正有）【課題】簡易給茶器具のために使用勝手がよく、デザイン的にもすぐれて、デザインの自由度が大きいスタンドを提供する。【解決手段】茶などの抽出用の、魔法瓶等に固定して使用し、魔法瓶等からの湯の出口管からの湯を一時的に保持する収納容器を有する魔法瓶等の給湯器に設置する簡易給茶器具のためのスタンドにおいて、魔法瓶などの給湯器具を載せるベ−スプレ−トを背面ベースに備え、ベ−ス１４から垂直に直立する基部スタンド１７と、その上部に結合されるスタンド上部３と、スタンド上部３に摺動 自在に嵌合される、給茶器具取付部分４を有し、給茶器具取付部分４は、給茶器具ホルダ−７を、蝶番１５により回転自在に係合し、且つホルダ−７を固定するレバ−６を有し、給茶器具１１はホルダ−７に固定されていることを特徴とする給茶器スタンドである。【選択図】図１
0003114710.tif 000002
【実用新案登録請求の範囲】
【請求項１】
茶などの抽出用の、魔法瓶等に固定して使用し、該魔法瓶等からの湯の出口管からの湯を一時的に保持する収納容器を有する魔法瓶等の給湯器に設置する簡易給茶器具のためのスタンドにおいて、
該魔法瓶などの給湯器具を載せるベ−スプレ−トを背面ベースに備え、ベ−ス(１４)から垂直に直立する基部スタンド(２)と、その上部に結合されるスタンド上部(３)と、該スタンド上部(３)に摺動自在に嵌合される、該給茶器具取付部分(４)を有し、
該給茶器具取付部分(４)は、給茶器具ホルダ−(７)を、蝶番(１５)により回転自在に係合し、且つ該ホルダ−(７)を固定するレバ−(６)を有し、
該給茶器具(１１)は該ホルダ−(７)に固定されていることを特徴とする給茶器スタンド。
【請求項２】
該茶器具取付部分(４)には、魔法瓶などからの、湯の出口管の嵌合するためのキャップ(６)を、その頂部に有することを特徴とする請求項１に記載の給茶器スタンド。
【考案の詳細な説明】
【技術分野】
【０００１】
本考案は、簡易給茶器のスタンドに関する。特に魔法瓶などの給湯器に備えるための給茶器スタンドに関する。
【背景技術】
【０００２】
従来の、茶などの抽出用の、魔法瓶等に固定して使用し、該魔法瓶等からの湯の出口管からの湯を一時的に保持する収納容器を有する魔法瓶等の給湯器に設置する簡易給茶器具（特許文献１、２参照）は、魔法瓶に固定しなければならないものであった。あるいは、通常のスタンドを使用するものであった。
【０００３】
それでは、簡易給茶器具の使用に不便であったし、デザインの自由度が小さいものであった。
【特許文献１】実開平５−４８８２６
【特許文献２】実開平６−２４６３８
【考案の開示】
【考案が解決しようとする課題】
【０００４】
解決しようとする課題は、魔法瓶等からの湯の出口管からの湯で茶等を抽出するための、魔法瓶等の給湯器に設置する簡易給茶器具のためのスタンドを提供することである。
【課題を解決するための手段】
【０００５】
本考案は、茶などの抽出用の、魔法瓶等に固定して使用し、該魔法瓶等からの湯の出口管からの湯を一時的に保持する収納容器を有する魔法瓶等の給湯器に設置する簡易給茶器具のためのスタンドである。
【０００６】
その解決手段は、(１)該魔法瓶などの給湯器具を載せるベ−スプレ−トを背面ベースに備え、ベ−ス(１４)から垂直に直立する基部スタンド(２)と、その上部に結合されるスタンド上部(３)と、該スタンド上部(３)に摺動自在に嵌合される、該給茶器具取付部分(４)を有し、該該給茶器具取付部分(４)は、給茶器具ホルダ−(７)を、蝶番(１５)により回転自在に係合し、且つ該ホルダ−(７)を固定するレバ−(６)を有し、該給茶器具(１１)は該ホルダ−(７)に固定されていることを特徴とする給茶器スタンドである。
【０００７】
(２)該ホルダ−(７)は、魔法瓶などからの、湯の出口管の嵌合するための湯口ホルダ−(６)を、その頂部に有すること給茶器スタンドである。
【考案の効果】
【０００８】
簡易給茶器具を魔法瓶等の給湯器に直接に接続して、使用できる給茶器セットを容易にかつ低コストで提供できた。
【考案を実施するための最良の形態】
【０００９】
本考案の給茶器スタンドは、基本的には、プラスチック製など作製できるが、それに限定されることはない。
【００１０】
図１により、本考案の給茶器スタンドを説明するが、本考案はそれに限定されないものである。図では箱型のスタンドで説明してあるが、スタンドのスタイル、デザインは、適宜変化を付けることができることは言うまでもない。
【００１１】
図のスタンド(１)は、茶などの抽出用の、魔法瓶等に固定して使用し、該魔法瓶等からの湯の出口管からの湯を一時的に保持する収納容器を有する魔法瓶等の給湯器に設置する簡易給茶器具のためのスタンドである。そして、そのスタンドは、魔法瓶などの給湯器具を載せるベ−スプレ−ト(２)を背面部分に備える。その部分に魔法瓶等を載せることにより、スタンド(１)の安定性がよくなる。
【００１２】
本考案のスタンドは、ベ−ス(１４)と前記のベ−スプレ−ト(２)を有し、それらが水平性を保持し、その面から垂直に直立する基部スタンド(１７)すなわち、スタンド下部がある。そして、そのスタンド下部(１７)の上端部に結合されるスタンド上部(３)を有する。図示のようにストンド下部と上部は、ほぼ同様の断面を有しており、互いに端部同志を嵌合して結合される。
【００１３】
そして、スタンド上部(３)には摺動自在に嵌合している給茶器具取付部分(４)を有する。図示のように、給茶器具取付部分(４)は、スタンド上部にスライドするような断面を有し、円滑に摺動すると同時に適宜の位置で停止、あるいは固定することができる。すなわち、スタンド上部の側面には図示のようなスライドが付けられ、対する給茶器具取付部分(４)の内側面には、それに対するスライドあるいはベアリングまたは小車輪のようなもので、以上のような機能を果たすことができる。
【００１４】
そして、給茶器具取付部分(４)には、給茶器具ホルダ−(７)が取付けられて、蝶番(１５)（但し、蝶番自体の図示は略されており、蝶番の入る空間のみの表示となっている）により、端部すなわち、１５で示す線状部を中心に回転する、回転自在に係合されている。しかし、固定するために、ホルダ−(７)と給茶器具取付部分(４)の間には磁石８、８’があり、固定するレバ−(６)すなわち、オ−プンレバ−(６)を有する。図示のように、オ−プンレバ−(６)は、バックカバ−( ５)にあり、給茶器具取付部分(４)に開けられた穴を通して、ホルダー(７)を係止する。
【００１５】
そのホルダ−(７)には、図示のように、茶抽出のための茶濾(９)を備えるカップ(１１)を固定されている。カップ(１１)の内部には、特許文献１、２に説明したようなサイフォン式の抽出管が設けられる。そして茶濾(９)にはグリップ(１ ０）を備える。茶葉から抽出されたお茶は、パイプ(１２)から湯量調節レバ−( １３)により、出される。そして、茶葉を取り替える場合には、レバ−(６)を外 し、ホルダ−(７)を回転させて、茶濾(９)を引き出して容易に茶葉を取り替えることができる。
【００１６】
さらに、ホルダ−(７)の上部には、魔法瓶などからの、湯の出口管の嵌合するためのキャップ(６)を設ける。図示のように、給茶器具取付部分(４)の上端部に取り付けられる。そして、そのキャップ(６)の湯口に相当する位置には、湯口ホルダ−(６)が、魔法瓶の湯口に係止できるように取り付けられる。
【００１７】
本考案のスタンドにおいては、デザインの要望により、スタンドの断面を変えることができる。また、魔法瓶等の給湯器に沿ったデザインにすることもできる。
【産業上の利用可能性】
【００１８】
魔法瓶等の給湯器に設置する簡易給茶器具のためのスタンドを提供することができた。                                                         
【図面の簡単な説明】
【００１９】
【図１】本考案による、魔法瓶等の給湯器に設置する簡易給茶器具のためのスタンドの具体例を示す。
【符号の説明】
【００２０】
１      スタンド                  ２      ベ−スプレ−ト
３      スタンド上部              ４      茶器具取付部分
５      バックカバ−              ６      湯口キャップ
７      簡易給茶器具ホルダ−      ８      磁石
９      茶濾                      １０      グリップ
１１      カップ                    １２      パイプ
１３      湯量調節レバ−            １４      スタンド基部
１５      蝶番あるいは蝶番空間      １６      湯口ホルダ−
１７      スタンド下部
【図１】
0003114710.tif 000003